(57)【要約】【課題】本発明は、従来にない秀れた作用効果を発揮する非常に実用的なワイパー用加熱装置及びワイパーを提供することを目的とする。【解決手段】フロントガラス31やリアガラス上を往復動するワイパー20の払拭ラバー22を加熱する加熱装置であって、前記払拭ラバー22の上端面に重合状態で付設される長尺の発熱線１と、この発熱線１を前記払拭ラバー22の上端面に固定する伝熱性の帯状固定部材２とを有し、前記帯状固定部材２は、前記発熱線１の上部を覆い折曲して両端部が前記払拭ラバー22の長さ方向に配設された補強金属板部材23と当接するように構成されたものである。【選択図】図１
2019166909.tif 000002
【特許請求の範囲】
【請求項１】
フロントガラスやリアガラス上を往復動するワイパーの払拭ラバーを加熱する加熱装置であって、前記払拭ラバーの上端面に重合状態で付設される長尺の発熱線と、この発熱線を前記払拭ラバーの上端面に固定する伝熱性の帯状固定部材とを有し、前記帯状固定部材は、前記発熱線の上部を覆い折曲して両端部が前記払拭ラバーの長さ方向に配設された補強金属板部材と当接するように構成されていることを特徴とするワイパー用加熱装置。
【請求項２】
請求項１記載のワイパー用加熱装置において、前記補強金属板部材は前記払拭ラバーの長さ方向に設けられたスリット部に嵌合配設され、前記帯状固定部材の両端部は前記スリット部に差し込み嵌合されて前記補強金属板部材と当接するように構成されていることを特徴とするワイパー用加熱装置。
【請求項３】
請求項１，２いずれか１項に記載のワイパー用加熱装置において、前記帯状固定部材は、前記払拭ラバーの長さ方向に間隔を置いて複数設けられていることを特徴とするワイパー用加熱装置。
【請求項４】
請求項１〜３いずれか１項に記載のワイパー用加熱装置において、前記発熱線は、前記払拭ラバーを支持する支持体にも前記帯状固定部材により設けられていることを特徴とするワイパー用加熱装置。
【請求項５】
請求項１〜４いずれか１項に記載のワイパー用加熱装置において、前記発熱線にはサーモスタットが設けられていることを特徴とするワイパー用加熱装置。
【請求項６】
フロントガラスやリアガラス上を往復動するワイパーの払拭ラバーを加熱する加熱装置を備えたワイパーであって、前記払拭ラバーの上端面に重合状態で付設される長尺の発熱線と、この発熱線を前記払拭ラバーの上端面に固定する伝熱性の帯状固定部材とを有し、前記帯状固定部材は、前記発熱線の上部を覆い折曲して両端部が前記払拭ラバーの長さ方向に配設された補強金属板部材と当接するように構成されていることを特徴とするワイパー。
【請求項７】
請求項６記載のワイパーにおいて、前記補強金属板部材は前記払拭ラバーの長さ方向に設けられたスリット部に嵌合配設され、前記帯状固定部材の両端部は前記スリット部に差し込み嵌合されて前記補強金属板部材と当接するように構成されていることを特徴とするワイパー。
【請求項８】
請求項６，７いずれか１項に記載のワイパーにおいて、前記帯状固定部材は、前記払拭ラバーの長さ方向に間隔を置いて複数設けられていることを特徴とするワイパー。
【請求項９】
請求項６〜８いずれか１項に記載のワイパーにおいて、前記発熱線は、前記払拭ラバーを支持する支持体にも前記帯状固定部材により設けられていることを特徴とするワイパー。
【請求項１０】
請求項６〜９いずれか１項に記載のワイパーにおいて、前記発熱線にはサーモスタットが設けられていることを特徴とするワイパー。
【発明の詳細な説明】
【技術分野】
【０００１】
本発明は、ワイパー用加熱装置及びワイパーに関するものである。
【背景技術】
【０００２】
寒冷地において、例えば自動車のフロントガラスやリアガラスなどを払拭するワイパーが外気温の低下により凍り付いて動かなくなる場合がある。
【０００３】
そこで、従来においても、例えば実開昭５６−１１４９６４号に提案されるような払拭ラバーとこの払拭ラバーを支持する支持体とに電熱線を設けたワイパー用加熱装置（以下、従来例という。）が提案されている。
【先行技術文献】
【特許文献】
【０００４】
【特許文献１】実開昭５６−１１４９６４号公報
【発明の概要】
【発明が解決しようとする課題】
【０００５】
ところで、ワイパーの払拭ラバーは、フロントガラスを払拭する際、下端部のフロントガラスとの接触部が変形しながらフロントガラスを払拭する構造であるが、従来例は、この払拭ラバーの接触部の近傍位置に付設される構造の為、使用しているうちに接触部の辺系により発熱線が外れてしまうという問題がある。
【０００６】
本発明は、前述した問題点に鑑みてなされたものであり、従来にない秀れた作用効果を発揮する非常に実用的なワイパー用加熱装置及びワイパーを提供する。
【課題を解決するための手段】
【０００７】
添付図面を参照して本発明の要旨を説明する。
【０００８】
フロントガラス31やリアガラス上を往復動するワイパー20の払拭ラバー22を加熱する加熱装置であって、前記払拭ラバー22の上端面に重合状態で付設される長尺の発熱線１と、この発熱線１を前記払拭ラバー22の上端面に固定する伝熱性の帯状固定部材２とを有し、前記帯状固定部材２は、前記発熱線１の上部を覆い折曲して両端部が前記払拭ラバー22の長さ方向に配設された補強金属板部材23と当接するように構成されていることを特徴とするワイパー用加熱装置に係るものである。
【０００９】
また、請求項１記載のワイパー用加熱装置において、前記補強金属板部材23は前記払拭ラバー22の長さ方向に設けられたスリット部22ｂに嵌合配設され、前記帯状固定部材２の両端部は前記スリット部22ｂに差し込み嵌合されて前記補強金属板部材23と当接するように構成されていることを特徴とするワイパー用加熱装置に係るものである。
【００１０】
また、請求項１，２いずれか１項に記載のワイパー用加熱装置において、前記帯状固定部材２は、前記払拭ラバー22の長さ方向に間隔を置いて複数設けられていることを特徴とするワイパー用加熱装置に係るものである。
【００１１】
また、請求項１〜３いずれか１項に記載のワイパー用加熱装置において、前記発熱線１は、前記払拭ラバー22を支持する支持体21にも前記帯状固定部材２により設けられていることを特徴とするワイパー用加熱装置に係るものである。
【００１２】
また、請求項１〜４いずれか１項に記載のワイパー用加熱装置において、前記発熱線１にはサーモスタット３が設けられていることを特徴とするワイパー用加熱装置に係るものである。
【００１３】
また、フロントガラス31やリアガラス上を往復動するワイパー20の払拭ラバー22を加熱する加熱装置を備えたワイパーであって、前記払拭ラバー22の上端面に重合状態で付設される長尺の発熱線１と、この発熱線１を前記払拭ラバー22の上端面に固定する伝熱性の帯状固定部材２とを有し、前記帯状固定部材２は、前記発熱線１の上部を覆い折曲して両端部が前記払拭ラバー22の長さ方向に配設された補強金属板部材23と当接するように構成されていることを特徴とするワイパーに係るものである。
【００１４】
また、請求項６記載のワイパーにおいて、前記補強金属板部材23は前記払拭ラバー22の長さ方向に設けられたスリット部22ｂに嵌合配設され、前記帯状固定部材２の両端部は前記スリット部22ｂに差し込み嵌合されて前記補強金属板部材23と当接するように構成されていることを特徴とするワイパーに係るものである。
【００１５】
また、請求項６，７いずれか１項に記載のワイパーにおいて、前記帯状固定部材２は、前記払拭ラバー22の長さ方向に間隔を置いて複数設けられていることを特徴とするワイパーに係るものである。
【００１６】
また、請求項６〜８いずれか１項に記載のワイパーにおいて、前記発熱線１は、前記払拭ラバー22を支持する支持体21にも前記帯状固定部材２により設けられていることを特徴とするワイパーに係るものである。
【００１７】
また、請求項６〜９いずれか１項に記載のワイパーにおいて、前記発熱線１にはサーモスタット３が設けられていることを特徴とするワイパーに係るものである。
【発明の効果】
【００１８】
本発明は上述のように構成したから、低温環境下においてもワイパーの機能を確実に発揮させることができるなど、従来にない秀れた作用効果を発揮する非常に実用的なワイパー用加熱装置及びワイパーとなる。
【図面の簡単な説明】
【００１９】
【図１】本実施例の使用状態説明図である。
【図２】本実施例を示す正面図である。
【図３】本実施例の要部の説明図である。
【図４】本実施例の要部の説明断面図である。
【図５】本実施例の要部の説明断面図である。
【図６】本実施例の要部の説明断面図である。
【発明を実施するための形態】
【００２０】
好適と考える本発明の実施形態（発明をどのように実施するか）を、図面に基づいて本発明の作用を示して簡単に説明する。
【００２１】
本発明をワイパー20に取り付ける場合、発熱線１を払拭ラバー22の上端面に重合状態とし、この状態で帯状固定部材２で発熱線１の上部を覆い、両端部を払拭ラバー22の長さ方向に配設された補強金属板部材23と当接するようにして払拭ラバー22を帯状固定部材２で囲繞被嵌する。
【００２２】
従って、発熱線１からの熱は、払拭ラバー22の上端面から伝わるとともに、帯状固定部材２及び補強金属板部材23を介して払拭ラバー22の内側からも伝わり、よって、熱が払拭ラバー22全体に良好に伝わることになり、しかも、発熱線１は払拭稼働時に変形しない（或いは変形の少ない）払拭ラバー22の上端面に設けられる為、発熱線１が払拭ラバー22から外れることはない。
【００２３】
以上のように、本発明は、低温環境下においてもワイパー20の機能を確実に発揮させることができる。
【実施例】
【００２４】
本発明の具体的な実施例について図面に基づいて説明する。
【００２５】
本実施例は、フロントガラス31やリアガラス上を往復動するワイパー20の払拭ラバー22を加熱するワイパー用加熱装置である。
【００２６】
具体的には、本実施例では、図１〜３に図示したようにワイパー20として、フロントガラス31上の反転位置で反転して往復動する擺動アーム24に設けられる支持体21と、この支持体21に設けられ下端部にフロントガラス31に接触する接触部22ａが設けられた払拭ラバー22とを有し、自動車（乗用車、バス、トラックなど）のフロントガラス31を払拭するワイパーを採用しており、この自動車には後述する本実施例に係るワイパー用加熱装置に電気を供給する電気供給源が設けられている。尚、ワイパー20を備えたものであれば自動車に限らず、鉄道（電車）や船舶や航空機など適宜採用し得るものであり、フロントガラス31やリアガラスは樹脂製のものも含む。
【００２７】
また、擺動アーム24及び支持体21は、いずれも周知構造の金属製品であり、擺動アーム24の先端部に支持体21が着脱自在に設けられている。
【００２８】
支持体21（ワイパーブレード）は、後述する払拭ラバー22を連結支持する支持構造体であり、具体的には、図２，３に図示したように擺動アーム24の先端部に連結する第一支持アーム21ａと、この第一支持アーム21ａの両端部に枢着される第二支持アーム21ｂと、この各第二支持アーム21ｂの両端部に枢着される第三支持アーム21ｃとで構成され、第三支持アーム21ｃの両端部には、払拭ラバー22の上端部に被嵌連結する断面角形Ｃ字状の連結部21ｃ’が設けられている。尚、支持体21の構造（支持アームの数や形状など）は上記に限定されないのは勿論である。
【００２９】
払拭ラバー22は、図２〜５に図示したように適宜な合成樹脂製の部材で一体成形された長尺体であり、下端部には所定長を有する接触部22ａが設けられ、また、この接触部22ａよりも上方位置にして、長辺端面としての正面部及び背面部夫々には、長さ方向に凹条部22ｃが設けられており、この各凹条部22ｃに前述した支持体21の各連結部21ｃ’をスライドさせて被嵌連結することになる。
【００３０】
また、払拭ラバー22は、凹条部22ｃの上方位置にして、長辺端面としての正面部及び背面部夫々には、長さ方向にスリット部22ｂが設けられ、この各スリット部22ｂ夫々に長尺の補強金属板部材23が嵌合配設されており、この補強金属板部材23により払拭ラバー22は形状保持されている。
【００３１】
本実施例は前述した構造のワイパーに装着されるワイパー用加熱装置を設けている。
【００３２】
このワイパー用加熱装置は、発熱線１と、この発熱線１に連設され該発熱線１を払拭ラバー22に固定するための帯状固定部材２とを有する。
【００３３】
発熱線１は、図２に図示したように電気が流れることで発熱するものであり、基端部にはカールコード４が設けられ車両に設けられる電気供給源５に差し込み接続される接続部４ａが設けられている。尚、発熱線１の熱源は電気に限らず加熱流体（温水や温風）でも良いなど適宜採用される。
【００３４】
また、本実施例では、発熱線１にはサーモスタット３（温度コントローラー）が設けられており、一定電圧の連続加熱も可能であるが、外気温や降雪量等の変化により加熱不足やオーバーヒートの危険が生じるため、サーモスタット３を付加している。
【００３５】
帯状固定部材２は、図２，４，５に図示したように伝熱性の高い適宜な金属製の部材（アルミ）で形成した板状体であり、後述するように発熱線１を支持体21及び払拭ラバー22の各所に熱伝導状態で固定するため多数設けられている。
【００３６】
また、帯状固定部材２は、工具などを用いて断面角形Ｃ字状に折り曲げ形成される。
【００３７】
この帯状固定部材２を用いて発熱線１を払拭ラバー22に固定する場合、図４，５に図示したように発熱線１を払拭ラバー22の上端面に添設して重合状態（当接状態）とし、この状態で発熱線１を覆った状態で払拭ラバー22の上端部に帯状固定部材２を囲繞被嵌し、この帯状固定部材２の左右端部２ａ，２ｂ夫々がスリット部22ｂ夫々に差し込み嵌合され補強金属板部材23に重合状態にて払拭ラバー22の上端部に着脱自在に連結される。
【００３８】
従って、この帯状固定部材２の左右端部２ａ，２ｂは補強金属板部材23に面接触することになり、しかも、補強金属板部材23の側面を押えた状態となり、補強金属板部材23がスリット部22ｂから外れるのを確実に防止することができる。
【００３９】
また、本実施例では、帯状固定部材２を用いて発熱線１を支持体21にも固定しており、図２，６に図示したように発熱線１を支持体21（第一支持アーム21ａ，第二支持アーム21ｂ及び第三支持アーム21ｃ）に添設して重合状態（当接状態）とし、この状態で発熱線１を包持した状態で支持体21に帯状固定部材２を被嵌し、この帯状固定部材２の左右端部２ａ，２ｂ夫々を内側に折り曲げることで該支持体21に被嵌連結される。
【００４０】
従って、この帯状固定部材２の左右端部２ａ，２ｂは支持体21に面接触することになる。
【００４１】
本実施例は上述のように構成したから、本実施例に係るワイパー用加熱装置をワイパー20に取り付ける場合、発熱線１を払拭ラバー22の上端面に重合状態とし、この状態で帯状固定部材２で発熱線１の上部を覆い、両端部を払拭ラバー22の長辺端面としての正面部及び背面部夫々の長さ方向に配設された補強金属板部材23夫々と当接するようにして払拭ラバー22を帯状固定部材２で囲繞被嵌する。
【００４２】
従って、発熱線１からの熱は、払拭ラバー22の上端面から伝わるとともに、帯状固定部材２及び補強金属板部材23を介して払拭ラバー22の内側（スリット部22ｂ内）からも伝わり、よって、熱が払拭ラバー22全体に良好に伝わることになり、しかも、発熱線１は払拭稼働時に変形しない（或いは変形の少ない）払拭ラバー22の上端面に設けられる為、発熱線１が払拭ラバー22から外れることはない。
【００４３】
ところで、払拭ラバー22を加熱することで、例えば払拭ラバー22が柔らかくなり、この払拭ラバー22のスリット部22ｂに嵌合配設された補強金属板部材23が外れてしまうことが懸念されるが、この点、本実施例は、帯状固定部材２で補強金属板部材23を押えた状態となる為、この補強金属板部材23が外れてしまうことを確実に防止することができる。
【００４４】
よって、本実施例によれば、低温環境下においてもワイパー20の機能を確実に発揮させることができる。
【００４５】
また、本実施例は、払拭ラバー22に設けられる既存の補強金属板部材23を利用して払拭ラバー22全体に良好に熱を伝える構造であるから、前述した作用効果を簡易な構造で確実に実現することができる。
【００４６】
また、本実施例の帯状固定部材２は、払拭ラバー22の長さ方向に間隔を置いて複数設けられるものであるから、簡易且つ確実に発熱線１を固定することができる。
【００４７】
また、本実施例は、帯状固定部材２は、払拭ラバー22に着脱自在に設けられるものであるから、払拭ラバー22の取り換えが支障なく行えることになる。
【００４８】
また、本実施例は、帯状固定部材２は伝熱性の高い金属製であるから、確実に発熱線１の熱を伝えることができる。
【００４９】
また、本実施例は、発熱線１は、払拭ラバー22を支持する支持体21にも帯状固定部材２により設けられているから、ワイパー20全体を加熱して低温環境下においてもワイパー20の機能を十分に発揮さることができる。
【００５０】
また、本実施例は、発熱線１にはサーモスタット３が設けられているから、加熱不足やオーバーヒートに対応することができる。
【００５１】
尚、本発明は、本実施例に限られるものではなく、各構成要件の具体的構成は適宜設計し得るものである。
【符号の説明】
【００５２】
１  発熱体
２  帯状固定部材
３  サーモスタット
20  ワイパー
21  支持体
22  払拭ラバー
22ｂ  スリット部
23  補強金属板部材
31  フロントガラス
【図１】
2019166909.tif 000003
【図２】
2019166909.tif 000004
【図３】
2019166909.tif 000005
【図４】
2019166909.tif 000006
【図５】
2019166909.tif 000007
【図６】
2019166909.tif 000008